(57)【特許請求の範囲】
【請求項１】
内部中心が測定領域とされた円筒状の変調コイルと、磁場勾配を該変調コイルの内部に発生させるコイルユニットとを備えてなり、該コイルユニットは、前記測定領域中心を原点とし前記変調コイルの軸線に対して垂直に加える静磁場方向をＺ軸とするとともに前記軸線方向をＹ軸としたときに、Ｘ軸方向、Ｙ軸方向およびＺ軸方向に磁場勾配をそれぞれ発生させるＸ軸コイル、Ｙ軸コイルおよびＺ軸コイルから構成され、前記Ｘ軸コイルは、前記変調コイルの周面に沿って湾曲して形成された略長方形環状とされ、前記軸線方向に長辺側を配して前記測定領域を中心として一対または偶数対設けられ、各Ｘ軸コイルは、前記周面をＹ−Ｚ平面によって分割した２つの領域にそれぞれ均等に分けて配され、かつ、Ｙ−Ｚ平面に対して対称に配されていることを特徴とするコイル装置。
【請求項２】
内部中心が測定領域とされた円筒状の変調コイルと、磁場勾配を該変調コイルの内部に発生させるコイルユニットとを備えてなり、該コイルユニットは、前記測定領域中心を原点とし前記変調コイルの軸線に対して垂直に加える静磁場方向をＺ軸とするとともに前記軸線方向をＹ軸としたときに、Ｘ軸方向、Ｙ軸方向およびＺ軸方向に磁場勾配をそれぞれ発生させるＸ軸コイル、Ｙ軸コイルおよびＺ軸コイルから構成され、前記Ｙ軸コイルは、前記変調コイルの周面に沿って湾曲して形成された略楕円環状とされ、周方向に長径側を配して測定領域を中心として偶数対設けられ、各Ｙ軸コイルは、前記周面をＸ−Ｙ平面およびＸ−Ｚ平面によって分割した４つの領域にそれぞれ均等に分けて配され、Ｘ−Ｚ平面を介して隣接する２つの前記領域のＹ軸コイルは、Ｘ−Ｚ平面に対して対称に配されていることを特徴とするコイル装置。
【発明の詳細な説明】
【０００１】
【発明の属する技術分野】
本発明は、電子スピン共鳴（以下、「ＥＳＲ」という。）や核磁気共鳴（以下、「ＮＭＲ」という。）に用いられるコイル装置に係り、３次元イメージングに必要な勾配磁場を発生させるコイル装置に関する。
【０００２】
【従来の技術】
ここ数年、活性酸素と称される物質（以下、「フリーラジカル」という。）が、老化、癌やその他の疾病などに深く関与していることが指摘されている。このフリーラジカルは、不対電子をもつ物質で、非常に酸化力が強く、他の物質の電子を奪い安定した物質になろうとする。このフリーラジカルが体内で存在すると、体の組織の原子にも同じように作用し、組織の破壊につながり、疾病の原因となると考えられている。
また、頭の中で「ストレス」を感じただけでフリーラジカルが体内に発生することが報告されていて、ストレスと疾病の関係を結び付ける要因の一つと考えられている。
【０００３】
このフリーラジカルの生体内での分布をｉｎ  ｖｉｖｏ計測によって３次元イメージング化し、画像化するための技術としてＥＳＲ装置が開発されており、現在、ラット等の小動物を対象とした装置が研究室で試用されている。
このＥＳＲ装置に用いられる磁場勾配コイルは、フリーラジカルの位置を特定するための勾配磁場を発生させるものであり、この勾配磁場の精度は、測定器の精度を大きく左右するものである。
【０００４】
この磁場勾配コイルを備えたコイル装置は、３次元の直線磁場勾配を得るための磁場勾配コイルを主コイル間に配設した構成とされ、この構成のもとに、主コイルによる一定磁場に、磁場勾配コイルの電流を制御して磁場勾配を変化させることにより、所望の位置におけるＥＳＲ信号が得られる。
【０００５】
前記磁場勾配コイルの主な形状として、以下に示すように大きく分けて３つのタイプがある。
従来、Ｌバンド（マイクロ波掃引周波数が１ＧＨｚ以下の周波数領域）ＥＳＲシステムにおける磁場勾配コイルとして、例えば、図１２に示すようなＡｎｄｅｒｓｏｎ型コイル（American Institute of physics,32-3(1961),pp.241-250）１が採用されている。該Ａｎｄｅｒｓｏｎ型コイル１は、４個の矩形コイルからなる磁場勾配コイルであって、Ｗ．Ａ．Ａｎｄｅｒｓｏｎの理論に基づいて設計されたＸ軸コイルおよびＹ軸コイルで構成することにより、Ｘ軸およびＹ軸方向の勾配磁場を発生する。
なお、図１２におけるＡｎｄｅｒｓｏｎ型コイル１は、Ｘ軸コイルであるが、Ｚ軸を中心に９０゜回転させるとＹ軸コイルとなる。
【０００６】
また、他のコイルの形態として、図１３および図１４にそれぞれ示すような鞍型コイル２とヘルムホルツ型コイル３がある。
前記鞍型コイル２は、ＮＭＲ用のコイル装置として従来から一般に採用されているものであり、例えば、図１３に示すように、円弧および直線からなるコイルを４個組み合わせたものである。
なお、図１３における鞍型コイル２は、Ｙ軸コイルであるが、Ｚ軸を中心に９０゜回転させるとＸ軸コイルとなる。
また、図１３および図１４中の矢印は、電流方向を示している。
【０００７】
前記ヘルムホルツ型コイル３は、図１４に示すように、互いに逆方向に電流を流すもので、静磁場方向であるＺ軸方向の勾配磁場を発生させるコイルとして、ＥＳＲ装置およびＮＭＲ装置のどちらにも採用されている。
【０００８】
従来のＥＳＲ用のコイル装置として、例えば、実開平７−１２１０３号公報にＡｎｄｅｒｓｏｎ型コイルを採用したものが提案されている。このコイル装置は、ケース内部の空洞に試料を装填し、一対の主コイルに定電流を流すことにより主コイル間に所定方向の静磁場が設定され、Ａｎｄｅｒｓｏｎ型のＸ軸コイルおよびＹ軸コイル、さらにヘルムホルツ型のＺ軸コイルに所定の電流比で電流を流すことにより前記空洞に直線性の高い所要の磁場勾配が設定されるものである。
【０００９】
【発明が解決しようとする課題】
しかしながら、上記のコイル装置には、以下のような課題が残されている。すなわち、従来のコイル装置では、測定可能領域がラット位の大きさ（半径２０ｍｍ球内の領域）であり、最終的な目標である人体を測定対象とするには、より大きなコイルが必要となっている。しかし、コイルの大型化に伴い、電力も大きくなるという問題があり、例えば、人体よりも小さな動物を測定対象と考え、半径１００ｍｍの球内を測定対象とする磁場勾配コイルを、Ａｎｄｅｒｓｏｎ型コイルおよび鞍型コイルによって設計した場合には、以下の表１，表２に示すように、いずれも合計電力が２００ＫＷを超える非現実的なものとなってしまうことがわかる。
【００１０】
【表１】
0003780306.tif 000002
【００１１】
【表２】
0003780306.tif 000003
【００１２】
Ａｎｄｅｒｓｏｎ型コイルが大電力となる原因について、以下に説明する。
直線導体を流れる電流によって任意の点に発生する磁場強度は、Ｂｉｏｔ−Ｓａｖａｒｔ’の式によって求めることができ、この式によれば、導体から遠くなるに従い、発生する磁場は小さくなることが分かる。したがって、より少ない電流で目的とする磁場を発生させるためには、これを測定領域の近くに配置させればよい。
Ａｎｄｅｒｓｏｎ型コイルの条件では、コイル間の距離によってコイルの大きさが決められ、測定対象が大きくなればコイル間の距離を大きくする必要があるので、必然的にコイル自体も大きくなって測定領域から導体の位置が遠ざかることになる。
また、Ａｎｄｅｒｓｏｎ型コイルが作る磁場勾配の精度はあまり良くなく、原点から遠ざかるにしたがって起こる精度の悪化の度合いが大きい。そのため、測定領域が小さいにもかかわらず、コイルが大型になってしまっていた。
【００１３】
一方、鞍型コイルの場合には、コイルの磁場勾配に寄与する辺が弧の部分のみであり、その位置は半径によって決まる。そのため、測定対象が大きくなると、半径が大きくなり、辺の位置は測定対象から遠ざかることになって、Ａｎｄｅｒｓｏｎ型コイルと同様に、大電力が必要となってしまうことが分かる。
したがって、これら従来のコイル形状では電力を低減することができなかった。
【００１４】
本発明は、前述の課題に鑑みてなされたもので、より少ない電流で目的とする磁場勾配を測定領域に発生させることができるＥＳＲ用またはＮＭＲ用のコイル装置を提供することを目的とする。
【００１５】
【課題を解決するための手段】
本発明は、前記課題を解決するために以下の構成を採用した。すなわち、請求項１記載のコイル装置では、内部中心が測定領域とされた円筒状の変調コイルと、磁場勾配を該変調コイルの内部に発生させるコイルユニットとを備えてなり、該コイルユニットは、前記測定領域中心を原点とし前記変調コイルの軸線に対して垂直に加える静磁場方向をＺ軸とするとともに前記軸線方向をＹ軸としたときに、Ｘ軸方向、Ｙ軸方向およびＺ軸方向に磁場勾配をそれぞれ発生させるＸ軸コイル、Ｙ軸コイルおよびＺ軸コイルから構成され、前記Ｘ軸コイルは、前記変調コイルの周面に沿って湾曲して形成された略長方形環状とされ、前記軸線方向に長辺側を配して前記測定領域を中心として一対または偶数対設けられ、各Ｘ軸コイルは、前記周面をＹ−Ｚ平面によって分割した２つの領域にそれぞれ均等に分けて配され、かつ、Ｙ−Ｚ平面に対して対称に配されている技術が採用される。
【００１６】
このコイル装置では、Ｘ軸コイルが変調コイルの周面に沿って湾曲して形成された略長方形環状とされ、変調コイルの軸線方向に長辺側を配して測定領域を中心として一対または偶数対設けられ、また各Ｘ軸コイルが、前記周面をＹ−Ｚ平面によって分割した２つの領域にそれぞれ均等に分けて配され、かつＹ−Ｚ平面に対して対称に配されているので、各Ｘ軸コイルが測定領域を取り囲むように該測定領域に対して等距離に配されるとともに、各Ｘ軸コイルの長辺がそれぞれ測定領域から等距離に配されることから、Ｘ軸コイルを測定領域に全周に亙って効率的に近づけることができるとともに、Ｘ軸方向の高精度な勾配磁場が得られる。
【００１９】
請求項２記載のコイル装置では、内部中心が測定領域とされた円筒状の変調コイルと、磁場勾配を該変調コイルの内部に発生させるコイルユニットとを備えてなり、該コイルユニットは、前記測定領域中心を原点とし前記変調コイルの軸線に対して垂直に加える静磁場方向をＺ軸とするとともに前記軸線方向をＹ軸としたときに、Ｘ軸方向、Ｙ軸方向およびＺ軸方向に磁場勾配をそれぞれ発生させるＸ軸コイル、Ｙ軸コイルおよびＺ軸コイルから構成され、前記Ｙ軸コイルは、前記変調コイルの周面に沿って湾曲して形成された略楕円環状とされ、周方向に長径側を配して測定領域を中心として偶数対設けられ、各Ｙ軸コイルは、前記周面をＸ−Ｙ平面およびＸ−Ｚ平面によって分割した４つの領域にそれぞれ均等に分けて配され、Ｘ−Ｚ平面を介して隣接する２つの前記領域のＹ軸コイルは、Ｘ−Ｚ平面に対して対称に配されている技術が採用される。
【００２０】
このコイル装置では、Ｙ軸コイルが、変調コイルの周面に沿って湾曲して形成された略楕円環状とされているので、Ｙ軸方向に平行なコイル部分がほとんどなく、Ｙ軸コイルの全周に亙って勾配磁場の発生に有効に寄与する。
【００２１】
【発明の実施の形態】
以下、ＬバンドＥＳＲ装置に適用した本発明に係るコイル装置の一実施形態を図１から図７を参照しながら説明する。
これらの図にあって、符号１０はコイル装置、１１は変調コイル、１２はコイルユニットを示している。
【００２２】
本実施形態のコイル装置１０は、図１から図４に示すように、内部中心に内径が２０ｍｍの球状の測定領域Ｍを有する円筒状のコイルケースＣに収められた変調コイル１１と、該変調コイル１１の外周面に設けられ磁場勾配を変調コイル１１の内部に発生させるコイルユニット１２とを備え、走行車輪１３を下部に取り付けたアルミ製の支持架台１４上に固定されている。
【００２３】
コイルユニット１２は、アルミ材で形成されており、ＥＳＲ測定に好ましくない外来ノイズ（特に、高周波ノイズ）の遮断を行っている。
該支持架台１４上には、変調コイル１１の半径方向両側に対向状態に設けられ軸線をケース１１の軸線に直交させて配された一対の円環状の主コイル１５が固定されている。これらの主コイル１５は、変調コイル１１の軸線に対して垂直方向に静磁場を加えるコイルである。
【００２４】
なお、測定領域Ｍの中心を原点としたとき、主コイル１５による静磁場方向をＺ軸方向とするとともに、変調コイル１１の軸線方向をＹ軸方向とし、Ｚ軸およびＹ軸に直交する方向をＸ軸方向とする。
また、コイルユニット１２には、その内周面に信号取り出し用の変調コイル１１が設けられている。
【００２５】
コイルユニット１２は、図５から図７に示すように、Ｘ軸方向、Ｙ軸方向およびＺ軸方向に磁場勾配をそれぞれ発生させるＸ軸コイル１６、Ｙ軸コイル１７およびＺ軸コイル１８から構成され、図５に示すように、内側からＸ軸コイル１６、Ｙ軸コイル１７、Ｚ軸コイル１８の順に配設されている。
さらに、コイルユニット１２の外側には、銅管である冷却管１９が螺旋状に巻回されて配管されており、この冷却管１９内に冷媒である冷却水を循環させることにより各コイルの発熱が抑えられるとともに、所定の温度に保たれるようになっている。
【００２６】
前記冷却管１９の両端には、冷却管１９に接続した冷却水供給口２０および冷却水排出口２１が設けられ、冷却水供給口２０および冷却水排出口２１は、支持架台１４内に設けられた外部給水口および外部排出口（図示せず）にそれぞれ接続されている。
なお、符号２２および２３は、主コイル１５用の冷却水の給水口および排水口である。
この冷却管１９に冷却水を必要量流すことによって、各コイルの発熱が抑制され、これらの構造、寸法、抵抗の変化が回避され、コイル装置１０の安定な動作が可能となっている。万が一、異常発熱が生じた場合には、温度センサー（図示せず）によって温度異常が検知され、これに基づく出力が当該コイル装置１０の制御部（図示せず）に送られ、電流を遮断することで各コイルの損傷が未然に防止される。
【００２７】
前記Ｘ軸コイル１６は、図６の（ａ）および図７の（ａ）に示すように、変調コイル１１の周面に沿って湾曲して形成された略長方形環状とされ、軸線方向（Ｙ軸）に長辺側を配して測定領域Ｍを中心として４つ設けられている。
各Ｘ軸コイル１６は、図７の（ａ）に示すように、前記周面をＸ−Ｙ平面およびＹ−Ｚ平面によって分割した領域にそれぞれ分けて配され、Ｙ−Ｚ平面を介して隣接する両Ｘ軸コイル１６は、互いにＹ−Ｚ平面に対して対称に配されている。
また、Ｘ軸コイル１６は、外来電磁波の遮断効果がある銅管２４の表面に取り付けられている。
【００２８】
前記Ｙ軸コイル１７は、図６の（ｂ）および図７の（ｂ）に示すように、変調コイル１１の周面に沿って湾曲して形成された略楕円環状とされ、周方向に長径側を配して測定領域Ｍを中心として４つ設けられている。
各Ｙ軸コイル１７は、図７の（ｂ）に示すように、前記周面をＸ−Ｙ平面およびＸ−Ｚ平面によって分割した領域にそれぞれ分けて配され、Ｘ−Ｚ平面を介して隣接する両Ｙ軸コイル１７は、互いにＸ−Ｚ平面に対して対称に配されている。
【００２９】
前記Ｚ軸コイル１８は、図６の（ｃ）および図７の（ｃ）に示すように、変調コイル１１の周面に沿って湾曲して形成された略長方形環状とされ、軸線方向（Ｙ軸）に長辺側を配して測定領域Ｍを中心として２つ対向して設けられている。
両Ｚ軸コイル１８は、図７の（ｃ）に示すように、互いにＸ−Ｙ平面に対して対称に配されている。
なお、図６および図７中の矢印は、各コイルにおける電流方向を示している。
【００３０】
前記Ｘ軸コイル１６、Ｙ軸コイル１７およびＺ軸コイル１８の間は、絶縁性のテープ（図示せず）で絶縁され、さらに、各コイルから発生する熱の放熱性を高めるため、熱伝導性の高いシリコンを充填してある。
各コイルのリード線は、コイルユニット１２内にある１つの溝に集められ、コイルケースＣ下部のメタルコンセント２５に接続されている。これによって、リード線の磁場が互いに打ち消し合うことで、測定領域Ｍへの影響を少なくすることができる。
【００３１】
上記構成のコイル装置１０では、まず、変調コイル１１内部の測定領域Ｍに試料を装填し、主コイル１５に定電流を流すことにより主コイル１５間に所定方向の静磁場が設定される。
次に、Ｘ軸コイル１６、Ｙ軸コイル１７およびＺ軸コイル１８に所定の電流比で電流を流すことにより測定領域Ｍに直線性の高い所要の磁場勾配が設定される。
さらに、主コイル１５の内側に取り付けた穴あき円盤状のラピットスキャンコイルＲに、所定時間で極性の反転する電流を流すことにより所望の範囲における磁場掃引がなされる。係る磁場掃引を各軸コイルに流す電流比を変化させて行うことにより所望の位置におけるＥＳＲ信号が得られることになる。
【００３２】
このコイル装置１０では、Ｘ軸コイル１６が変調コイル１１の周面に沿った略長方形環状とされ、測定領域Ｍを中心として前記周面をＸ−Ｙ平面およびＹ−Ｚ平面によって分割した領域にそれぞれ分けて配されているので、４つのＸ軸コイル１６が測定領域Ｍを取り囲むように該測定領域Ｍに対して等距離に配されるとともに、各Ｘ軸コイル１６の長辺がそれぞれ測定領域Ｍから等距離に配されることから、Ｘ軸コイル１６を測定領域Ｍに全周に亙って効率的に近づけることができるとともに、Ｘ軸方向の高精度の勾配磁場が得られる。
【００３３】
また、Ｚ軸コイル１８が、変調コイル１１の周面に沿って略長方形環状とされ、測定領域Ｍを中心としてかつ互いにＸ−Ｙ平面に対して対称に配されているので、２つのＺ軸コイル１８が測定領域Ｍを取り囲むように該測定領域Ｍに対して等距離に配されるとともに、各Ｚ軸コイル１８の長辺が測定領域Ｍから等距離に配されることから、Ｚ軸コイル１８を測定領域Ｍに全周に亙って効率的に近づけることができるとともに、Ｚ軸方向の高精度の勾配磁場が得られる。
【００３４】
さらに、Ｙ軸コイル１７が、変調コイル１１の周面に沿って湾曲して形成された略楕円環状とされているので、Ｙ軸方向に平行なコイル部分がほとんどなく、Ｙ軸コイル１７の全周に亙って有効に勾配磁場の発生に寄与することができる。
【００３５】
したがって、上記Ｘ軸コイル１６、Ｙ軸コイル１７およびＺ軸コイル１８が、それぞれ測定領域Ｍに高精度かつ効率的に磁場勾配を発生させるので、コイル装置１０全体として、大幅に電力が低減される。
【００３６】
なお、上記の一実施形態においては、ＥＳＲ用のコイル装置としたが、他の磁場勾配コイル装置に用いても構わない。例えば、ＮＭＲに適用してもよい。
また、Ｘ軸コイル１６を４つ配設したが、測定領域Ｍを中心として一対または偶数対設け、各Ｘ軸コイルを、変調コイルの周面をＹ−Ｚ平面によって分割した２つの領域にそれぞれ均等に分けて配し、かつ、Ｙ−Ｚ平面に対して対称に配しても構わない。
【００３７】
さらに、Ｚ軸コイル１８を２つ配設したが、測定領域Ｍを中心として一対または偶数対設け、各Ｚ軸コイルを、変調コイルの周面をＸ−Ｙ平面によって分割した２つの領域にそれぞれ均等に分けて配し、かつ、Ｘ−Ｙ平面に対して対称に配しても構わない。例えば、Ｘ軸コイル１６をＹ軸を中心に９０゜回転させてＺ軸コイルとしてもよい。
【００３８】
そして、Ｙ軸コイル１７を４つ配設したが、測定領域Ｍを中心として偶数対設け、各Ｙ軸コイルを、変調コイルの周面をＸ−Ｙ平面およびＸ−Ｚ平面によって分割した４つの領域にそれぞれ均等に分けて配し、Ｘ−Ｚ平面を介して隣接する２つの前記領域のＹ軸コイルを、Ｘ−Ｚ平面に対して対称に配しても構わない。例えば、各領域に２つづつＹ軸コイルを配設してもよい。
また、Ｘ軸コイル１６、Ｙ軸コイル１７、Ｚ軸コイル１８の順に内側から配設したが、これらの順番は任意に設定してもよい。
【００３９】
【実施例】
次に、試作した上記コイル装置１０で得られた電力値等のデータについて、表３に示す。
【００４０】
【表３】
0003780306.tif 000004
【００４１】
また、図８から図１０に示すように、試作したコイル装置１０による磁場特性の測定結果は、直線性の優れた良好な勾配磁場が発生していることが確認された。
さらに、コイル装置１０と従来のＡｎｄｅｒｓｏｎ型コイルとの大きさは、例えば、図１１の（ａ）（ｂ）（ｃ）（ｄ）に示すように、Ｘ軸コイル１６においてはコイルのＹ軸方向長さＨが、Ａｎｄｅｒｓｏｎ型コイル１は３８８ｍｍであったのに対し、Ｘ軸コイル１６は２２６ｍｍに小さくなっており、Ｙ軸コイル１７およびＺ軸コイル１８についても同様に大幅に小型化されている。
【００４２】
なお、コイル装置１０（以下、前述したコイルのＡｎｄｅｒｓｏｎ型および鞍型と区別するために、各軸コイルを総称して「円筒型」という。）と従来のＬバンドＥＳＲ装置に使用されているＡｎｄｅｒｓｏｎ型コイルとの比較を、表４に示す。
【００４３】
【表４】
0003780306.tif 000005
【００４４】
この表４から、円筒型は、Ａｎｄｅｒｓｏｎ型に比べて、電力が約１／４となっているとともに、個々のコイルの電圧も小さくなっているために、コイルに使用する電源も小さくすることができる。
さらに、銅線の重量も約１／９、ケースを含めた重量でも約１／４となっている。
【００４５】
次に、測定領域を半径１００ｍｍ球内と設定して、本発明に係るコイル装置についてシミュレーション設計した例を、表５に示す。
【００４６】
【表５】
0003780306.tif 000006
【００４７】
この表５から、従来のＡｎｄｅｒｓｏｎ型および鞍型では大電力が必要で大型化してしまうため実現困難であった半径１００ｍｍ球内の測定領域でも、大幅に少電力化および軽量化された円筒型なら測定可能であることが分かる。
【００４８】
【発明の効果】
本発明によれば、以下の効果を奏する。
（１）請求項１記載のコイル装置によれば、Ｘ軸コイルが変調コイルの周面に形成された略長方形環状とされ、測定領域を中心として一対または偶数対設けられ、かつ、Ｙ−Ｚ平面に対して対称に配されているので、各Ｘ軸コイルが測定領域を取り囲むように該測定領域に対して等距離に配されるとともに、各Ｘ軸コイルの長辺がそれぞれ測定領域から等距離に配されることから、Ｘ軸コイルを測定領域に全周に亙って効率的に近づけることができるとともに、Ｘ軸方向の高精度な勾配磁場を得ることができる。
したがって、装置の低電力化を図ることができるとともに小型化・軽量化を行うことができ、大きな測定領域にも適用可能となることから、特にＥＳＲ用として採用する場合には、測定対象を従来のラットよりも大きな動物に広げることが可能となる。
【００５０】
（２）請求項２記載のコイル装置によれば、Ｙ軸コイルが、変調コイルの周面に形成された略楕円環状とされているので、Ｙ軸方向に平行なコイル部分がほとんどなく、Ｙ軸コイルの全周に亙って勾配磁場の発生に有効に寄与することができる。したがって、請求項１と同様に、装置の低電力化を図ることができるとともに小型化・軽量化を行うことができ、大きな測定領域にも適用可能となることから、特にＥＳＲ用として採用する場合には、測定対象を従来のラットよりも大きな動物に広げることが可能となる。
【図面の簡単な説明】
【図１】  本発明に係るコイル装置の一実施形態を示す正面図である。
【図２】  本発明に係るコイル装置の一実施形態を示す側面図である。
【図３】  本発明に係るコイル装置の一実施形態におけるコイルケースに収めたコイルユニットを示す側面図である。
【図４】  本発明に係るコイル装置の一実施形態におけるコイルケースに収めたコイルユニットを示す正面図である。
【図５】  本発明に係るコイル装置の一実施形態におけるコイルケースに収めたコイルユニットの各コイルの配置を示す概略断面図である。
【図６】  本発明に係るコイル装置の一実施形態におけるコイルケースに収めたコイルユニットの各コイルを示す側面図である。
【図７】  本発明に係るコイル装置の一実施形態における各軸コイルの形状および配置を示す概略斜視図である。
【図８】  本発明に係るコイル装置の一実施形態におけるＸ軸コイルによる磁場特性を示すグラフである。
【図９】  本発明に係るコイル装置の一実施形態におけるＹ軸コイルによる磁場特性を示すグラフである。
【図１０】  本発明に係るコイル装置の一実施形態におけるＺ軸コイルによる磁場特性を示すグラフである。
【図１１】  本発明に係るコイル装置の一実施形態におけるＸ軸コイルと従来例のＡｎｄｅｒｓｏｎ型Ｘ軸コイルとの寸法を比較するための両コイルの概略正面図および概略側面図である。
【図１２】  本発明に係るコイル装置の一実施形態の従来例におけるＡｎｄｅｒｓｏｎ型Ｘ軸コイルを示す概略側面図および概略断面図である。
【図１３】  本発明に係るコイル装置の一実施形態の従来例における鞍型Ｙ軸コイルを示す概略斜視図である。
【図１４】  本発明に係るコイル装置の一実施形態の従来例におけるヘルムホルツ型Ｚ軸コイルを示す概略斜視図である。
【符号の説明】
１０  コイル装置
１１  変調コイル
１２  コイルユニット
１６  Ｘ軸コイル
１７  Ｙ軸コイル
１８  Ｚ軸コイル
Ｍ  測定領域
Ｘ  Ｘ軸
Ｙ  Ｙ軸
Ｚ  Ｚ軸
【図１】
0003780306.tif 000007
【図２】
0003780306.tif 000008
【図３】
0003780306.tif 000009
【図４】
0003780306.tif 000010
【図５】
0003780306.tif 000011
【図６】
0003780306.tif 000012
【図７】
0003780306.tif 000013
【図８】
0003780306.tif 000014
【図９】
0003780306.tif 000015
【図１０】
0003780306.tif 000016
【図１１】
0003780306.tif 000017
【図１２】
0003780306.tif 000018
【図１３】
0003780306.tif 000019
【図１４】
0003780306.tif 000020